(57)【要約】      （修正有）【課題】光源は直接に標識へ投射しない目に優しい美的感覚のよい強固な発光自動車標識と発光装置を提供する。【解決手段】発光自動車標識の構造は、標識と、背後側同じ形状の発光装置で構成され、発光装置は、１つの導光板と、１つの配線板と、１つの前蓋で構成される。１つの導光板は、導光透明材質で、標識と同じ形状の薄片殻体であり、内側には、標識形状に凹設の収納溝を有し、外側には、くさび状光線拡散溝を設けている。１つの配線板は、導光板の収納溝と対応した形状の空洞された片体で、光線拡散溝と相対別側に、ＬＥＤ灯を設け、電源線と連結し、中空結合柱から穿出され、駆動制御ケースと連結する。１つの前蓋は、導光板と同じ形状の片体で、別側に標識の背後側と結合する。【選択図】図１
0003159681.tif 000002
【実用新案登録請求の範囲】
【請求項１】
発光自動車標識であって、その構造は、
１つの標識、不透光材質の特殊な図案持ちな片体で、と；
１つの発光装置、該発光装置には、１つの導光板、標識と同じ形状の導光透明な薄片殻体で、内側に、収納溝を設け、と；１つの配線板、該配線板は、前記収納溝と同一形状で、その中に合わせ入れ、収納溝側に複数のLED灯を備え、電源線と連結し、と；１つの前蓋、導光板と同じ形状の透明薄片で、導光板と発光装置を封止し、別側に標識の背後側と結合し、光源が標識の形状周辺に背景光影の効果を作ることを特徴とする発光自動車標識。
【請求項２】
前記発光装置には、１つの導光板と、１つの配線板と、複数の遮光片と、１つの前蓋で構成され、
前記導光板は、導光透明材質で、標識と同じ形状で、外形に空洞されていないの完全な薄片殻体であり、内側には、標識形状より凹設の収納溝を有し、標識の空洞された部位に、凹溝を凹設し、同じ形状の遮光片を入れて、凹溝の周囲に透光枠縁を形成し、外側には、くさび状光線拡散溝を設けており；
前記配線板は、導光板の収納溝と対応した形状の片体で、光線拡散溝と相対別側に、LED灯を設け、電源線と連結し；、
前記複数の遮光片は、凹溝と対応な形状、車体と同じ色で、両面粘着膠より、各凹溝３１２に貼り付け；
前記前蓋は、導光板と同じ形状の片体で、空洞されてなく透明の完全な薄片で、導光板と発光装置を封止し、別側に標識の背後側と結合することを特徴とする請求項１に記載の発光自動車標識。
【請求項３】
前記発光装置には、１つの導光板と、１つの配線板と、１つの前蓋で構成され、
前記導光板は、標識と同じ形状の導光透明な薄片殻体で、内側に、収納溝を設け、
前記配線板は、前記収納溝と同一形状で、その中に合わせ入れ、収納溝側に複数のLED灯を備え、電源線と連結し、
前記複数の遮光片は、凹溝と対応な形状、車体と同じ色で、両面粘着膠より、各凹溝３１２に貼り付け
前記前蓋は、導光板と同じ形状の透明薄片で、導光板と発光装置を封止し、別側に標識の背後側と結合することを特徴とする請求項１に記載の発光自動車標識。
【請求項４】
前記発光装置には、１つの導光板と、１つの配線板と、複数の遮光片と、１つの前蓋で構成され、
前記導光板は、導光透明材質で、標識と同じ形状で、外形に空洞されていないの完全な薄片殻体であり、内側には、標識形状より凹設の収納溝を有し、標識の空洞された部位に、凹溝を凹設し、同じ形状の遮光片を入れて、凹溝の周囲に透光枠縁を形成し、外側には、くさび状光線拡散溝を設けており；
前記配線板は、前記収納溝と同一形状で、その中に合わせ入れ、収納溝側に複数のLED灯を備え、電源線と連結し、
前記前蓋は、導光板と同じ形状の片体で、空洞されてなく透明の完全な薄片で、導光板と発光装置を封止し、別側に標識の背後側と結合することを特徴とする請求項１に記載の発光自動車標識。
【請求項５】
前記導光板は、外側に、配線板の各LED灯の対応位置に、くさび状光線拡散溝を設けておることを特徴とする請求項１，２，３或いは４に記載の発光自動車標識と発光装置。
【請求項６】
前記導光板と前蓋は、超音波熱融合で発光装置を封止することを特徴とする請求項１，２，３或いは４に記載の発光自動車標識と発光装置。
【請求項７】
前記発光装置は１つの駆動制御ケースと連結、駆動制御ケースを通じて、発光形態を切り替え操作することを特徴とする請求項１，２，３或いは４に記載の発光自動車標識と発光装置。
【請求項８】
前記発光装置は１つの駆動制御ケースと連結、駆動制御ケースを通じて、発光形態を切り替え操作することを特徴とする請求項５に記載の発光自動車標識と発光装置。
【考案の詳細な説明】
【技術分野】
【０００１】
この考案は自動車標識の底側と透光枠縁に背景光影を形成する発光自動車標識の構造の改善ことに関する。
【背景技術】
【０００２】
従来の発光自動車標識は、光源は直接に標識へ投射して、標識を発光させるので、ひかりすぎで、標識が見え難くなるは兎も角、目眩しいゆえ、自動車走行に安全の恐れさえありうる。（中華民国特許公報Ｍ２５２５９８号、Ｍ３３２２４１号）
【考案の開示】
【考案が解決しようとする課題】
【０００３】
前述従来の発光自動車標識は、光源は直接に標識へ投射して、標識を発光させるので、ひかりすぎで、標識が見え難くなるは兎も角、目眩しいゆえ、自動車走行に安全の恐れさえありうる。
この考案は、以上の問題を解決し、光源は直接に標識へ投射しない目に優しい美的感覚のよいと強固な発光自動車標識と発光装置を提供することを課題とする。
【課題を解決するための手段】
【０００４】
そこで、本考案者は従来の技術に見られる欠点に鑑み鋭意研究を重ねた結果、発光自動車標識の構造は、標識と、背後側同じ形状の発光装置で構成され、発光装置は、１つの導光板と、１つの配線板と、１つの前蓋で構成される。
１つの導光板は、導光透明材質で、標識と同じ形状の薄片殻体であり、内側には、標識形状に凹設の収納溝を有し、外側には、くさび状光線拡散溝を設けておる。
１つの配線板は、導光板の収納溝と対応した形状の空洞された片体で、光線拡散溝と相対別側に、LED灯を設け、電源線と連結し、中空結合柱から穿出され、駆動制御ケースと連結する。
１つの前蓋は、導光板と同じ形状の片体で、別側に標識の背後側と結合する。
前述構造には、配線板のLED灯を導光板の収納溝の内に置く、前蓋と導光板と合わせてと発光装置を封止し、超音波接合、粘着剤或いは別の結合方式で、防水構造となり、導光板と前蓋は、粘着剤や両面粘着膠より、標識と車体に結合し、駆動制御ケースを通じて、車体の各種な回線と連結して回線板を制御で、発光形態を切り替える。
【考案の効果】
【０００５】
この考案によれば、発光自動車標識の光源が、標識の形状周辺に背景光影の効果を作ることで、従来の直接に標識へ投射するより、光線が柔らかくて人目には刺激しないので、交通安全に貢献あり、まして、審美の角度からみたら、標識の価値が高めることになる。
【実施例１】
【０００６】
図１〜３に、この考案の発光自動車標識の第１実施例より構造の説明図を開示する。図面によれば、この考案による発光自動車標識は、標識１０と、背後側同じ形状の発光装置２０で構成され、標識１０は、不透光材質で空洞された標識（正規メーカーの標識でも良い）であり、発光装置２０は、１つの導光板２１と、１つの配線板２２と、１つの前蓋２３で構成される。
１つの導光板２１は、導光透明材質で、標識１０と同じ形状の薄片殻体であり、内側には、標識形状に凹設の収納溝２１２を有し、外側には、くさび状光線拡散溝２１３と、複数の結合柱２１４と、収納溝２１２と連通した１つの中空結合柱２１４aで構成される。
１つの配線板２２は、導光板２１の収納溝２１２と対応した形状の空洞された片体で、光線拡散溝２１３と相対別側に、LED灯２２１を設け（単一或いは複数の色でよい）、電源線２２２と連結し、中空結合柱２１４aから穿出され、駆動制御ケース４０と連結する。
１つの前蓋２３は、導光板２１と同じ形状の片体で、別側に標識１０の背後側と結合する。
前述構造には、配線板２２のLED灯２２１を導光板２１の収納溝２１２の内に置く、前蓋２３と合わせて覆わせ、超音波接合、粘着剤或いは別の結合方式で、防水構造となり、導光板２１と前蓋２３は、粘着剤や両面粘着膠より、標識１０と車体に結合し、駆動制御ケース４０を通じて、車体の各種な回線（ヘッドライト、テールライト、ブレーキライトなど）と連結して回線板２２を制御で、発光形態を切り替える。
図３〜５に示されたように、発光装置２０が標識１０の背側に結合して、配線板２２の各LED灯２２１が光源を導光板２１へ投射し、光源は、標識１０の底面周辺と、空洞枠縁側に、背景光影となり、なお、LED灯２２１の光線が光線拡散溝２１３のくさび状溝面より、放射状に拡大屈折して導光板２１の周辺と空洞枠縁側に投射し、発光効果を高める。
【実施例２】
【０００７】
図６〜８に、この考案の発光自動車標識の第２実施例より構造の説明図を開示する。図面によれば、この考案による発光自動車標識は、標識１０と、発光装置３０で構成され、発光装置３０は、標識１０と同じ形状が、外形に空洞されていないの完全な薄片殻体であり、１つの導光板３１と、１つの配線板３２と、複数の遮光片３３と、１つの前蓋３４で構成される。
１つの導光板３１は、導光透明材質で、標識１０と同じ形状が、外形に空洞されていないの完全な薄片殻体であり、内側には、標識形状に凹設の収納溝３１１を有し、標識の空洞された部位に、凹溝３１２を凹設し、同じ形状の遮光片３３を入れて、凹溝３１２の周囲に透光枠縁３１３を形成し、外側には、くさび状光線拡散溝３１４を設けておる。
１つの配線板３２は、導光板３１の収納溝３１１と対応した形状の片体で、光線拡散溝３１４と相対別側に、LED灯３２１を設け、電源線３２２と連結する（なお、図２に示すように、駆動制御ケース４０と連結する）。
複数の遮光片３３は、凹溝３１２と対応な形状、車体と同じ色で、両面粘着膠３３１より、各凹溝３１２に貼り付ける。
１つの前蓋３４は、導光板３１と同じ形状の片体で、空洞されてなく透明の完全な薄片で、導光板３１を合わせて封止し、別側に標識１０の背後側と結合する。
各LED灯３２１が標識１０の底面周辺と、遮光片３３の透光枠縁３１３に、背景光影を作り、なお、導光板３１は、完全表面な形態で、LED灯３２１の光線が、導光板３２の表面へ投射して発光するとき、導光の効果がよくなり、発光効果も高める。
【図面の簡単な説明】
【０００８】
【図１】この考案の分離斜視図である。
【図２】この考案の部分組合分離斜視図である。
【図３】この考案の組合の断面図と一部拡大図である。
【図４】この考案の裏面発光説明図である。
【図５】この考案の正面発光説明図である。
【図６】この考案の第２実施例の分離斜視図である。
【図７】図６の組合の断面図と一部拡大図である。
【図８】図６の正面発光説明図である。
【符号の説明】
【０００９】
１０       標識
２０       発光装置
２１       導光板
２１２     収納溝
２１３     光線拡散溝
２１４     結合柱
２１４a    中空結合柱
２２       配線板
２２１     LED灯
２２２     電源線
２３       前蓋
３１１     収納溝
３１２     凹溝
３１３     透光枠縁
３１４     光線拡散溝
３２１     LED灯
３２２     電源線
３２       配線板
３３       遮光片
３３１     両面粘着膠
３４       前蓋
４０       駆動制御ケース
0003159681.tif 000003
【手続補正書】
【提出日】平成22年1月27日(2010.1.27)
【手続補正１】
【補正対象書類名】実用新案登録請求の範囲
【補正対象項目名】全文
【補正方法】変更
【補正の内容】
【実用新案登録請求の範囲】
【請求項１】
光非透過性の材質によってなる標章部と、該標章部の背面に設ける発光構造部とによってなる自動車用エンブレムであって、
該発光構造部が、光透過性の材質によってなり、かつ該標章部と同様の形状に形成されるとともに、該標章部側の面には該標章部の形状に沿って収納溝を凹設してなるプレート状のベースと、
該ベースに凹設した収納溝に沿った形状のプレートであって、該収納溝内に設けるとともに、該収納溝側の面に、電源線に電気的に接続する複数の発光体を設けた回路基板と、
該ベースと同様の形状に形成されたプレート状の部材であって、一方の面が該ベースに接続して密封し、他方の面が該標章部の背面に接続するカバープレートとを含み構成されることを特徴とする発光構造部を具える自動車用エンブレム。
【請求項２】
前記発光構造部が、光透過性を有する材質によってなり、前記標章部の外周縁に囲まれた領域と同様の形状を呈し、かつ該標章部側の面には、該標章部の標章を構成する部分の形状に沿って形成され、該回路基板を収納する第１収納溝を凹設するとともに、該標章部の標章を形成する部分を除く領域に対応する部位には、該領域と同様の形状の該遮光シートを収納する第２収納溝を凹設し、第１収納溝と該第２収納溝との間には光透過性の仕切り壁を形成してなるベースと、
該ベースの第１収納溝に沿った形状を呈したプレートであって、かつ該ベース側の面には電源線に電気的に接続する複数の発光体を設けてなる回路基板と、
光非透過性の材質によってなり、該標章部の標章を形成する部分を除く領域と同様の形状に形成され、かつ該標章部の形状に応じて少なくとも１枚以上用いる遮光シートと、
該標章部の外周縁に囲まれた領域と同様の形状を呈するプレートであって、一方の面は該ベースに接続して密封し、他方の面は該標章部の背面に接続するカバープレートと、を含み構成されることを特徴とする請求項１に記載の発光構造部を具える自動車用エンブレム。
【請求項３】
自動車のエンブレムに設ける発光構造部であって、
光透過性の材質によってなり、かつ該標章部と同様の形状に形成されるとともに、該標章部側の面には該標章部の形状に沿って収納溝を凹設してなるプレート状のベースと、
該ベースに凹設した収納溝に沿った形状のプレートであって、該収納溝内に設けるとともに、該収納溝側の面に、電源線に電気的に接続する複数の発光体を設けた回路基板と、
該ベースと同様の形状に形成されたプレート状の部材であって、一方の面が該ベースに接続して密封し、他方の面が該標章部の背面に接続するカバープレートとを含み構成されることを特徴とする発光構造部。
【請求項４】
自動車のエンブレムに設ける発光構造部であって、
光透過性を有する材質によってなり、エンブレムの標章部の外周縁に囲まれた領域と同様の形状を呈し、かつ該標章部側の面には、該標章部の標章を構成する部分の形状に沿って形成され、該回路基板を収納する第１収納溝を凹設するとともに、該標章部の標章を形成する部分を除く領域に対応する部位には、該領域と同様の形状の該遮光シートを収納する第２収納溝を凹設し、第１収納溝と該第２収納溝との間には光透過性の仕切り壁を形成してなるベースと、
該ベースの第１収納溝に沿った形状を呈したプレートであって、かつ該ベース側の面には電源線に電気的に接続する複数の発光体を設けてなる回路基板と、
光非透過性の材質によってなり、該標章部の標章を形成する部分を除く領域と同様の形状に形成され、かつ該標章部の形状に応じて少なくとも１枚以上用いる遮光シートと、
該エンブレムの標章部の外周縁に囲まれた領域と同様の形状を呈するプレートであって、一方の面は該ベースに接続して密封し、他方の面は該標章部の背面に接続するカバープレートと、を含み構成されることを特徴とする発光構造部。
【請求項５】
前記ベースに凹設する収納溝の底面であって、かつ前記回路基板に設けた発光体に対応する位置に、該ベースを貫通し、孔径が背面側に向かって広くなりテーパー状を呈する複数の光拡散孔を穿設することを特徴とする請求項１、もしくは請求項２に記載の発光構造部を具える自動車用エンブレム。
【請求項６】
前記ベースに凹設する第１収納溝の底面であって、かつ前記回路基板に設けた発光体に対応する位置に、該ベースを貫通し、孔径が背面側に向かって広くなりテーパー状を呈する複数の光拡散孔を穿設することを特徴とする請求項３、もしくは請求項４に記載の発光構造部。
【請求項７】
前記カバープレートが、超音波溶着によって前記ベースに接合されて密封することを特徴とする請求項１、もしくは請求項２に記載の発光構造部を具える自動車用エンブレム。
【請求項８】
前記カバープレートが、超音波溶着によって前記ベースに接合されて密封することを特徴とする請求項３、もしくは請求項４に記載の発光構造部。
【請求項９】
前記発光構造部が制御ボックスに電気的に接続し、該制御ボックスを操作することによって前記発光体の点灯を制御することを特徴とする請求項５に記載の発光構造部を具える自動車用エンブレム。
【請求項１０】
前記発光構造部が制御ボックスに電気的に接続し、該制御ボックスを操作することによって前記発光体の点灯を制御することを特徴とする請求項６に記載の発光構造部。
【手続補正２】
【補正対象書類名】明細書
【補正対象項目名】全文
【補正方法】変更
【補正の内容】
【考案の詳細な説明】
【技術分野】
【０００１】
この考案は自動車用エンブレムに関し、特に発光体を具え、該発光体が発光して標章としての機能を高めたりする自動車用エンブレム、及びその発光構造部に関する。
【背景技術】
【０００２】
台湾実用新案登録第Ｍ２５２５９８号は、発光体を具える自動車用エンブレムを提供するものであって、該エンブレムは、ベースプレートと、該ベースプレート上に、エンブレムの形状の外周縁に沿って凸設したフォーカス壁と、該ベースプレート上の該フォーカス壁に囲まれた領域に設けられ、かつ複数の発光体を具える基板と、該ベースプレートの正面側に設けられる光透過性のフロントカバーと、該フロントカバーの該フォーカス壁に対応する位置に設けたカバープレートとを具えてなる。
【０００３】
台湾実用新案登録第Ｍ３３２２４１号も、発光する自動車用エンブレムを提供するものであって、光透過性を有する材質によってなる本体と、塗布層と、基板と、発光体とを含んでなる。該本体は背面側に収納室を形成してなり、該塗布層は該本体の正面側に形成する。該塗布層を形成することによって、該本体の正面側に反射作用を有する部分と、光透過性を有する部分とを形成する。該基板は該本体の側に設け、該発光体は該基板と電気的に接続し、かつ該本体の収納室内に設ける。
【０００４】
前記台湾実用新案は、両案とも光透過性を有するプラスチック材で製造する。このため、太陽光線の直射を受け、雨水で濡れることによって材質が容易に酸化する。さらに、材質が酸化すると変色したり、光沢を失ったりして、美観を損なう。しかも、容易に亀裂が発生する。
【０００５】
また、台湾実用新案登録第Ｍ３３２２４１号については、塗布層が容易に変質して剥離する。
【０００６】
したがって、前記の両台湾実用新案は、いずれも使用上の耐久性について、欠点を有する。
【０００７】
さらに、前記の両台湾実用新案は、発光体が点灯すると、いずれもエンブレムの正面から前方に向かって直接照射する。このため、エンブレムが光りすぎて眩しくなる。即ち、エンブレムがよく見えなくなる。
【０００８】
また、仮に自動車の後方に設けたエンブレムに赤色の発光体を設け、該赤色の発光体が点滅するように構成した場合は、後方の車両がブレーキランプと誤認する恐れがあり、運転に危険な情況を招く恐れがある。
【０００９】
したがって、従来の技術は、使用上の耐久性に欠ける点、もしくは眩しくて視認しにくいという点などの多くの欠点を有するため、これら欠点の改善が望まれている。
【先行技術文献】
【特許文献】
【００１０】
【非特許文献１】台湾実用新案登録第Ｍ２５２５９８号公報
【非特許文献２】台湾実用新案登録第Ｍ３３２２４１号公報
【考案の概要】
【考案が解決しようとする課題】
【００１１】
この考案は、発光体の発光によって美観が好ましくなる自動車用エンブレムであって、使用環境における耐久性に優れ、使用寿命の長い、発光構造部を具える自動車用エンブレム、及びその発光構造部を提供することを課題とする。
【００１２】
また、この考案は、発光体の発光によって眩しくなることがなく、かつ走行する他の自動車の走行に影響を与えない、発光構造部を具える自動車用エンブレム、及びその発光構造部を提供することを課題とする。
【課題を解決するための手段】
【００１３】
そこで、本考案者は従来の技術に見られる欠点に鑑み鋭意研究を重ねた結果、光非透過性の材質によってなる標章部と、該標章部の背面に設ける発光構造部とによってなる自動車用エンブレムであって、該発光構造部が、光透過性の材質によってなり、かつ該標章部と同様の形状に形成されるとともに、該標章部側の面には該標章部の形状に沿って収納溝を凹設してなるプレート状のベースと、該ベースに凹設した収納溝に沿った形状のプレートであって、該収納溝内に設けるとともに、該収納溝側の面に、電源線に電気的に接続する複数の発光体を設けた回路基板と、該ベースと同様の形状に形成されたプレート状の部材であって、一方の面が該ベースに接続して密封し、他方の面が該標章部の背面に接続するカバープレートと、を含み構成される自動車用エンブレム、及びその発光構造部によって課題を解決できる点に着眼し、かかる知見に基づいて本考案を完成させた。
【００１４】
以下、この考案について詳述する。
請求項１に記載する自動車用エンブレムは、光非透過性の材質によってなる標章部と、該標章部の背面に設ける発光構造部とによってなる自動車用エンブレムであって、
該発光構造部が、光透過性の材質によってなり、かつ該標章部と同様の形状に形成されるとともに、該標章部側の面には該標章部の形状に沿って収納溝を凹設してなるプレート状のベースと、
該ベースに凹設した収納溝に沿った形状のプレートであって、該収納溝内に設けるとともに、該収納溝側の面に、電源線に電気的に接続する複数の発光体を設けた回路基板と、
該ベースと同様の形状に形成されたプレート状の部材であって、一方の面が該ベースに接続して密封し、他方の面が該標章部の背面に接続するカバープレートとを含み構成される。
【００１５】
上述する構成によれば、前記発光体が発光した場合、光線が自動車用エンブレムの背面から照射され、かつ自動車用エンブレムの標章を構成する部分の外周縁から照射される光線と、反射光によってエンブレムの標章が浮き上がって見える視覚的効果が得られるとともに、光線がエンブレムの正面側から前方に向かって直接照射されることがないので、眩しくなることがなくなる。
【００１６】
また、上述する構造によれば、回路基板、発光体がバースに形成した収納溝内に設けられ、かつ該収納溝をカバープレートで密封するため、発光構造部の耐久性が増し、使用寿命を延長させることができる。
【００１７】
請求項２に記載する自動車用エンブレムは、請求項１における発光構造部が、光透過性を有する材質によってなり、前記標章部の外周縁に囲まれた領域と同様の形状を呈し、かつ該標章部側の面には、該標章部の標章を構成する部分の形状に沿って形成され、該回路基板を収納する第１収納溝を凹設するとともに、該標章部の標章を形成する部分を除く領域に対応する部位には、該領域と同様の形状の該遮光シートを収納する第２収納溝を凹設し、第１収納溝と該第２収納溝との間には光透過性の仕切り壁を形成してなるベースと、
該ベースの第１収納溝に沿った形状を呈したプレートであって、かつ該ベース側の面には電源線に電気的に接続する複数の発光体を設けてなる回路基板と、
光非透過性の材質によってなり、該標章部の標章を形成する部分を除く領域と同様の形状に形成され、かつ該標章部の形状に応じて少なくとも１枚以上用いる遮光シートと、
該標章部の外周縁に囲まれた領域と同様の形状を呈するプレートであって、一方の面は該ベースに接続して密封し、他方の面は該標章部の背面に接続するカバープレートと、を含み構成される。
【００１８】
上述する構成によれば、前記発光体が発光した場合、光線が自動車用エンブレムの背面から照射され、かつ自動車用エンブレムの外周縁から照射される光線と、反射光によってエンブレムの標章が浮き上がって見える視覚的効果が得られるとともに、光線がエンブレムの正面側から前方に向かって直接照射されることがないので、眩しくなることがなくなる。
【００１９】
請求項３に記載する発光構造部は、自動車のエンブレムに設ける発光構造部であって、
光透過性の材質によってなり、かつ該標章部と同様の形状に形成されるとともに、該標章部側の面には該標章部の形状に沿って収納溝を凹設してなるプレート状のベースと、
該ベースに凹設した収納溝に沿った形状のプレートであって、該収納溝内に設けるとともに、該収納溝側の面に、電源線に電気的に接続する複数の発光体を設けた回路基板と、
該ベースと同様の形状に形成されたプレート状の部材であって、一方の面が該ベースに接続して密封し、他方の面が該標章部の背面に接続するカバープレートとを含み構成される。
【００２０】
請求項４に記載する発光構造部は、自動車のエンブレムに設ける発光構造部であって、
光透過性を有する材質によってなり、エンブレムの標章部の外周縁に囲まれた領域と同様の形状を呈し、かつ該標章部側の面には、該標章部の標章を構成する部分の形状に沿って形成され、該回路基板を収納する第１収納溝を凹設するとともに、該標章部の標章を形成する部分を除く領域に対応する部位には、該領域と同様の形状の該遮光シートを収納する第２収納溝を凹設し、第１収納溝と該第２収納溝との間には光透過性の仕切り壁を形成してなるベースと、
該ベースの第１収納溝に沿った形状を呈したプレートであって、かつ該ベース側の面には電源線に電気的に接続する複数の発光体を設けてなる回路基板と、
光非透過性の材質によってなり、該標章部の標章を形成する部分を除く領域と同様の形状に形成され、かつ該標章部の形状に応じて少なくとも１枚以上用いる遮光シートと、
該エンブレムの標章部の外周縁に囲まれた領域と同様の形状を呈するプレートであって、一方の面は該ベースに接続して密封し、他方の面は該標章部の背面に接続するカバープレートと、を含み構成される。
【００２１】
請求項５に記載する自動車用エンブレムは、請求項１、もしくは請求項２におけるベースに凹設する収納溝の底面であって、かつ前記回路基板に設けた発光体に対応する位置に、該ベースを貫通し、孔径が背面側に向かって広くなりテーパー状を呈する複数の光拡散孔を穿設する。
【００２２】
請求項６に記載する発光構造部は、請求項３、もしくは請求項４もおけるベースに凹設する第１収納溝の底面であって、かつ前記回路基板に設けた発光体に対応する位置に、該ベースを貫通し、孔径が背面側に向かって広くなりテーパー状を呈する複数の光拡散孔を穿設する。
【００２３】
請求項７に記載する自動車用エンブレムは、請求項１、もしくは請求項２におけるカバープレートが、超音波溶着によってベースに接合されて密封する。
【００２４】
請求項８に記載する発光構造部は、請求項３、もしくは請求項４におけるカバープレートが、超音波溶着によって前記ベースに接合されて密封する。
【００２５】
請求項９に記載する自動車用エンブレムは、請求項５における発光構造部が制御ボックスに電気的に接続し、該制御ボックスを操作することによって前記発光体の点灯を制御する。
【００２６】
請求項１０に記載する発光構造は、請求項６における発光構造部が制御ボックスに電気的に接続し、該制御ボックスを操作することによって前記発光体の点灯を制御する。
【考案の効果】
【００２７】
この考案によれば、発光体が発光すると、エンブレムの背面側から光線が照射され、エンブレムの標章が浮かび上がるような視覚的効果が得られ、美観が好ましくなる。さらに、従来の技術に見られるように光線がエンブレムの正面から前方に向かって直接照射されることがないので、エンブレムを容易に視認することができる。このため、自動車用エンブレムの本来有する自動車メーカー、もしくは特定の車種の広告塔としての効果を大幅に高めることができるとともに、走行する他の車両の運転者の目に刺激を与えたり、ブレーキランプ等のランプと誤認されたりすることがないので、交通上の安全性に影響を与えることながなくなるといった利点を有する。
【００２８】
さらに、この考案による自動車用エンブレムは、使用環境における耐久性に優れ、使用寿命の長いため、商品としての付加価値が得られ、市場における商品の競争能力を高めることができるという利点を有する。
【図面の簡単な説明】
【００２９】
【図１】この考案による自動車用エンブレムの構造を示した説明図である。
【図２】この考案における発光構造部に制御ボックスを接続した態様を示した説明図である。
【図３】図１に開示する自動車用エンブレムの断面図、及び局部拡大説明図である。
【図４】この考案による自動車用エンブレムが発光した状態における背面側を示した説明図である。
【図５】この考案による自動車用エンブレムが発光した状態における正面側を示した説明図である。
【図６】第２の実施の形態による自動車用エンブレムの構造を示した説明図である。
【図７】図６に開示する自動車用エンブレムの断面図、及び局部拡大説明図である。
【図８】第２の実施の形態による自動車用エンブレムが発光した状態における正面側を示した説明図である。
【考案を実施するための最良の形態】
【００３０】
この考案は、発光体の発光によって美観が好ましくなるとともに、使用環境における耐久性に優れ、かつ使用上安全な発光構造部を具える自動車用エンブレムと、及びその発光構造部を提供するものであって、光非透過性の材質によってなる標章部と、該標章部の背面に設ける発光構造部とによってなる。
【００３１】
前記発光構造部は、光透過性の材質によってなり、かつ該標章部と同様の形状に形成されるとともに、該標章部側の面には該標章部の形状に沿って収納溝を凹設してなるプレート状のベースと、該ベースに凹設した収納溝に沿った形状のプレートであって、該収納溝内に設けるとともに、該収納溝側の面に、電源線に電気的に接続する複数の発光体を設けた回路基板と、該ベースと同様の形状に形成されたプレート状の部材であって、一方の面が該ベースに接続して密封し、他方の面が該標章部の背面に接続するカバープレートと、を含み構成される。
係る発光構造部を具える自動車用エンブレム、及びその発光構造部の構造と特徴を詳述するために、具体的な実施例を挙げ、図面を参照にしていかに説明する。
【実施例１】
【００３２】
図１から図３に開示するように、この考案による自動車用エンブレムは、標章部１０の背面に発光構造部２０を設けてなる。標章部１０は光非透過性の材質によってなり、適宜な形状を呈する。発光構造部２０はベース２１と、回路を形成した回路基板２２と、カバープレート２３とによってなる。
【００３３】
ベース２１は、光透過性の材質によってなり、標章部１０と同様の形状に形成されたプレート状の部材で、標章部１０側の面には、標章部１０の形状に沿って収納溝２１２を凹設する。また、収納溝２１２の底面は、ベース２１を貫通する複数の光拡散孔２１３を穿設する。光拡散孔２１３は、孔径が背面側に向かって広くなり、テーパー状を呈する。また、ベース２１の背面側には複数の連結柱２１４を設ける。さらに、収納溝２１２の底面に貫通孔を穿設し、該貫通孔の位置にはベース２１の背面側に、中空連結柱２１４’を設ける。中空連結柱２１４’は内部が中空であり、内部空間がベース２１の収納溝２１に連通する。
【００３４】
回路基板２２は、ベース２１の収納溝２１に沿った形状のプレートであって、ベース２１側の面で、且つベース２１の収納溝２１の底面に穿設した、それぞれの光拡散孔２１３に対する位置に発光体２２１を設ける。実施例において、発光体２２１はＬＥＤを用いる。ＬＥＤはすべて同一色とするか、もしくは一部を異なる色のものにしてもよい。また、それぞれの発光体２２１は電線２１２の一端に電気的に接続する。電源線２１２は、図２に開示するように、中空連結柱２１４’を通過して他端が制御ボックス４０に接続する。
【００３５】
カバープレート２３は、ベース２１と同様の形状に形成されたプレート状の部材であって、一方の面がベース２１に接続して密封し、他方の面が標章部１０の背面に接続する。
【００３６】
回路基板２２に設ける発光体２２１は、ベース２１側に向かって設けられ、かつベース２１の収納溝２１内に位置する。
【００３７】
カバープレート２３は、例えば超音波接着で接合するか、接着剤などで貼着するか、もしくはその他方法を用いて、防水機能を有する方法で接続する。
【００３８】
カバープレート２３と標章部１０、及びベース２１と自動車とは接着剤か、もしくは両面テープ（図示しない）で接合する。
【００３９】
それぞれの発光体２２１は、制御ボックス４０を介して、制御ボックス４０に接続する自動車のランプ（例えば、テールランプ、ブレーキランプ、その他ランプ）の回路に電気的に接続し、制御ボックス４０の制御によって任意のランプ発光モードで発光するようにする。
【００４０】
図３から５に開示するように、この考案における発光構造部２０は、標章部１０の背面に設ける、発光構造部２０の回路基板２２に設けた複数の発光体２２が発光すると、光線は発光構造部２０のベース２１に形成した光拡散孔２１３から、標章部１０の背面側に向かって照射する。このため、標章部１０の形状に沿って背面側が発光し、かつ反射光線によって標章部１０の形状が浮かび上がるような視覚的効果が得られる。
【実施例２】
【００４１】
図６から図８に、第２の実施の形態を開示する。前述する第１の実施の形態は、図示するように、エンブレムの形状がエンブレムの標章を構成する部分のみによってなるが、第２の実施の形態は、エンブレムの標章がプレート上に形成される。したがって、第１の実施の形態においては、エンブレムの標章を構成する部分の背面が発光するが、第２の実施の形態では、エンブレムの標章が形成されたプレートの背面が発光する。
【００４２】
第２の実施の形態は、図面に開示するように、標章部１０と、発光構造部３０とによってなる。
【００４３】
標章部１０は光非透過性の材質によってなり、適宜な形状を呈する。
【００４４】
発光構造部３０は、光透過性を有する材質によってなるベース３１と、光非透過性の材質によってなる遮光シート３３と、回路基板３２と、カバープレート３４とによって構成する。
【００４５】
ベース３１は、標章部１０の外周に囲まれた領域と同様の形状を呈する。標章部１０側の面には、標章部１０の標章を構成する部分の形状に沿って回路基板３２を収納する第１収納溝３１１を凹設するとともに、標章部１０の標章を形成する部分を除く領域に対応する部位には、該領域と同様の形状の遮光シート３３を収納する第２収納溝３１２を凹設する。第１収納溝３１１と第２収納溝３１２との間には、光透過性の仕切り壁３１３が形成される。
【００４６】
ベース３１の第１収納溝３１１は、底面に、ベース３１を貫通する複数の光拡散孔３１４を穿設する。光拡散孔３１４は、孔径が背面側に向かって広くなり、テーパー状を呈する。
【００４７】
回路基板３２は、ベース３１の第１収納溝３１１に沿った形状を呈したプレートであって、ベース３１側の面で、第１収納溝３１１に穿設した複数の光拡散孔３１４に対応する位置に、それぞれ発光体３２１を設ける。実施例において、発光体３２１はＬＥＤを用いる。それぞれの発光体３２１は電源線３２３の一端に電気的に接続する。電源線３２３は、図２に開示する制御ボックス４０に接続する。
【００４８】
遮光シート３３は、少なくとも１枚以上用い、標章部１０の形状によって枚数が決まる。即ち、ベース３１の第２収納溝３１２と同様の形状を呈し、エンブレムを設ける自動車の車体の色に合わせた色のシートであって、両面テープ３３１で第２収納溝３１２内に貼着する。
【００４９】
カバープレート３４は、標章部１０の外周に囲まれた領域と同様の形状を呈するプレートであって、一方の面はベース３１に接続して密封し、他方の面は標章部１０の背面に接続する。
【００５０】
以上の構造によれば、複数の発光体３２１が発光すると、光線は標章部１０の背面側の外周と、仕切り壁３１３から照射され、標章部１０の形状が浮かび上がるような視覚的効果が得られる。また、ベース３１が標章部１０の外周に囲まれた領域と同様の形状を呈するプレートであるため、複数の発光体３２１が発光すると、光線がベース３１の背面から背面側の外周に向かって均一に照射される。このため、光線の明るさが引き立つ効果を達成することができる。
【符号の説明】
【００５１】
１０ 標章部
２０ 発光構造部
２１ ベース
２１２ 収納溝
２１３ 光線拡散孔
２１４ 連結柱
２１４’ 中空連結柱
２２ 回路基板
２２１ 発光体
２２２ 電源線
２３ カバープレート
３０ 発光構造部
３１１ 第１収納溝
３１２ 第２収納溝
３１３ 仕切り壁
３１４ 光線拡散孔
３２ 回路基板
３２１ 発光体
３２３ 電源線
【手続補正３】
【補正対象書類名】図面
【補正対象項目名】全図
【補正方法】変更
【補正の内容】
【図１】
0003159681.tif 000004
【図２】
0003159681.tif 000005
【図３】
0003159681.tif 000006
【図４】
0003159681.tif 000007
【図５】
0003159681.tif 000008
【図６】
0003159681.tif 000009
【図７】
0003159681.tif 000010
【図８】
0003159681.tif 000011
【手続補正書】
【提出日】平成22年3月19日(2010.3.19)
【手続補正１】
【補正対象書類名】実用新案登録請求の範囲
【補正対象項目名】請求項２
【補正方法】変更
【補正の内容】
【請求項２】
前記発光構造部が、光透過性を有する材質によってなり、前記標章部の外周縁に囲まれた領域と同様の形状を呈し、かつ該標章部側の面には、該標章部の標章を構成する部分の形状に沿って形成され、該回路基板を収納する第１収納溝を凹設するとともに、該標章部の標章を形成する部分を除く領域に対応する部位には、該領域と同様の形状の遮光シートを収納する第２収納溝を凹設し、第１収納溝と該第２収納溝との間には光透過性の仕切り壁を形成してなるベースと、
該ベースの第１収納溝に沿った形状を呈したプレートであって、かつ該ベース側の面には電源線に電気的に接続する複数の発光体を設けてなる回路基板と、
光非透過性の材質によってなり、該標章部の標章を形成する部分を除く領域と同様の形状に形成され、かつ該標章部の形状に応じて少なくとも１枚以上用いる遮光シートと、
該標章部の外周縁に囲まれた領域と同様の形状を呈するプレートであって、一方の面は該ベースに接続して密封し、他方の面は該標章部の背面に接続するカバープレートと、を含み構成されることを特徴とする請求項１に記載の発光構造部を具える自動車用エンブレム。
【手続補正２】
【補正対象書類名】実用新案登録請求の範囲
【補正対象項目名】請求項３
【補正方法】変更
【補正の内容】
【請求項３】
自動車のエンブレムに設ける発光構造部であって、
光透過性の材質によってなり、かつエンブレムの標章部と同様の形状に形成されるとともに、該標章部側の面には該標章部の形状に沿って収納溝を凹設してなるプレート状のベースと、
該ベースに凹設した収納溝に沿った形状のプレートであって、該収納溝内に設けるとともに、該収納溝側の面に、電源線に電気的に接続する複数の発光体を設けた回路基板と、
該ベースと同様の形状に形成されたプレート状の部材であって、一方の面が該ベースに接続して密封し、他方の面が該標章部の背面に接続するカバープレートとを含み構成されることを特徴とする発光構造部。
【手続補正３】
【補正対象書類名】実用新案登録請求の範囲
【補正対象項目名】請求項４
【補正方法】変更
【補正の内容】
【請求項４】
自動車のエンブレムに設ける発光構造部であって、
光透過性を有する材質によってなり、エンブレムの標章部の外周縁に囲まれた領域と同様の形状を呈し、かつ該標章部側の面には、該標章部の標章を構成する部分の形状に沿って形成され、回路基板を収納する第１収納溝を凹設するとともに、該標章部の標章を形成する部分を除く領域に対応する部位には、該領域と同様の形状の遮光シートを収納する第２収納溝を凹設し、第１収納溝と該第２収納溝との間には光透過性の仕切り壁を形成してなるベースと、
該ベースの第１収納溝に沿った形状を呈したプレートであって、かつ該ベース側の面には電源線に電気的に接続する複数の発光体を設けてなる回路基板と、
光非透過性の材質によってなり、該標章部の標章を形成する部分を除く領域と同様の形状に形成され、かつ該標章部の形状に応じて少なくとも１枚以上用いる遮光シートと、
該エンブレムの標章部の外周縁に囲まれた領域と同様の形状を呈するプレートであって、一方の面は該ベースに接続して密封し、他方の面は該標章部の背面に接続するカバープレートと、を含み構成されることを特徴とする発光構造部。
【手続補正４】
【補正対象書類名】明細書
【補正対象項目名】００１６
【補正方法】変更
【補正の内容】
【００１６】
請求項２に記載する自動車用エンブレムは、請求項１における発光構造部が、光透過性を有する材質によってなり、前記標章部の外周縁に囲まれた領域と同様の形状を呈し、かつ該標章部側の面には、該標章部の標章を構成する部分の形状に沿って形成され、該回路基板を収納する第１収納溝を凹設するとともに、該標章部の標章を形成する部分を除く領域に対応する部位には、該領域と同様の形状の遮光シートを収納する第２収納溝を凹設し、第１収納溝と該第２収納溝との間には光透過性の仕切り壁を形成してなるベースと、
該ベースの第１収納溝に沿った形状を呈したプレートであって、かつ該ベース側の面には電源線に電気的に接続する複数の発光体を設けてなる回路基板と、
光非透過性の材質によってなり、該標章部の標章を形成する部分を除く領域と同様の形状に形成され、かつ該標章部の形状に応じて少なくとも１枚以上用いる遮光シートと、
該標章部の外周縁に囲まれた領域と同様の形状を呈するプレートであって、一方の面は該ベースに接続して密封し、他方の面は該標章部の背面に接続するカバープレートと、を含み構成される。
【手続補正５】
【補正対象書類名】明細書
【補正対象項目名】００１８
【補正方法】変更
【補正の内容】
【００１８】
請求項３に記載する発光構造部は、自動車のエンブレムに設ける発光構造部であって、
光透過性の材質によってなり、かつエンブレムの標章部と同様の形状に形成されるとともに、該標章部側の面には該標章部の形状に沿って収納溝を凹設してなるプレート状のベースと、
該ベースに凹設した収納溝に沿った形状のプレートであって、該収納溝内に設けるとともに、該収納溝側の面に、電源線に電気的に接続する複数の発光体を設けた回路基板と、
該ベースと同様の形状に形成されたプレート状の部材であって、一方の面が該ベースに接続して密封し、他方の面が該標章部の背面に接続するカバープレートとを含み構成される。
【手続補正６】
【補正対象書類名】明細書
【補正対象項目名】００１９
【補正方法】変更
【補正の内容】
【００１９】
請求項４に記載する発光構造部は、自動車のエンブレムに設ける発光構造部であって、
光透過性を有する材質によってなり、エンブレムの標章部の外周縁に囲まれた領域と同様の形状を呈し、かつ該標章部側の面には、該標章部の標章を構成する部分の形状に沿って形成され、回路基板を収納する第１収納溝を凹設するとともに、該標章部の標章を形成する部分を除く領域に対応する部位には、該領域と同様の形状の遮光シートを収納する第２収納溝を凹設し、第１収納溝と該第２収納溝との間には光透過性の仕切り壁を形成してなるベースと、
該ベースの第１収納溝に沿った形状を呈したプレートであって、かつ該ベース側の面には電源線に電気的に接続する複数の発光体を設けてなる回路基板と、
光非透過性の材質によってなり、該標章部の標章を形成する部分を除く領域と同様の形状に形成され、かつ該標章部の形状に応じて少なくとも１枚以上用いる遮光シートと、
該エンブレムの標章部の外周縁に囲まれた領域と同様の形状を呈するプレートであって、一方の面は該ベースに接続して密封し、他方の面は該標章部の背面に接続するカバープレートと、を含み構成される。